(57)【要約】【課題】  組立て作業性および生産性が良く、低コスト化が図れる鍵盤装置を提供する。【解決手段】  複数の伝達部材１０と複数のハンマー部材１１とを鍵２の配列方向に沿って搭載するアクション搭載部材は、複数の鍵２の配列方向における複数個所に配置された複数の支持脚部１３と、鍵２の配列方向に沿って複数の支持脚部１３に一体に形成された伝達支持レール部１４と、伝達支持レール部１４上に一体に形成された複数の伝達保持部１５と、鍵２の配列方向に沿って複数の支持脚部１３に一体に形成されたハンマー支持レール部１６と、ハンマー支持レール部１６上に一体に形成された複数のハンマー保持部１７と、を有している。アクション搭載部材を設置するだけで、簡単に複数の支持脚部１３、伝達支持レール部１４、複数の伝達保持部１５、ハンマー支持レール部１６および複数のハンマー保持部１７を一度に設置できる。【選択図】  図２
2019086793.tif 000002
【特許請求の範囲】
【請求項１】
鍵の配列方向における複数個所に配置された複数の支持脚部と、
前記鍵の配列方向に沿って設けられており、押鍵操作に応じて変位する各伝達部材を支持するための伝達支持レール部と、
前記鍵の配列方向に沿って、かつ、前記伝達支持レール部とは前記鍵の前後方向において重ならない位置に設けられており、前記押鍵操作された鍵に対してアクション荷重を付与する各ハンマー部材を支持するためのハンマー支持レール部と、
を有し、
前記複数の支持脚部と、前記伝達支持レール部と、前記ハンマー支持レール部と、は一体に形成されていることを特徴とする鍵盤楽器。
【請求項２】
請求項１に記載の鍵盤楽器において、
前記複数の支持脚部における前記鍵の前後方向の一端側に前記伝達支持レール部が設けられており、他端側に前記ハンマー支持レール部が設けられていることを特徴とする鍵盤楽器。
【請求項３】
請求項１または請求項２に記載の鍵盤楽器において、前記複数の支持脚部と、前記伝達支持レール部と、前記ハンマー支持レール部と、は合成樹脂により一体に形成されていることを特徴とする鍵盤楽器。
【請求項４】
請求項１〜請求項３のいずれかに記載の鍵盤楽器において、
前記伝達支持レール部の上側に、前記各伝達部材がそれぞれ嵌合している各伝達保持軸を含む複数の伝達保持部を有し、
前記伝達支持レール部における前記伝達保持軸に対応する位置には、前記伝達保持軸を成型するための型抜き孔が設けられていることを特徴とする鍵盤楽器。
【請求項５】
請求項１〜請求項４のいずれかに記載の鍵盤楽器において、前記伝達支持レール部と前記ハンマー支持レール部とには、補強リブがそれぞれ一体に形成されていることを特徴とする鍵盤楽器。
【請求項６】
請求項１〜請求項５のいずれかに記載の鍵盤楽器において、
前記ハンマー支持レール部における前記鍵の前後方向の後側に、前記各ハンマー部材がそれぞれ嵌合している各ハンマー保持軸と、前記各ハンマー保持軸の両側に設けられている一対のガイド壁と、を含む複数のハンマー保持部が、前記ハンマー支持レール部と一体に形成されていることを特徴とする鍵盤楽器。
【請求項７】
鍵の配列方向における複数個所に配置された複数の支持脚部と、
前記鍵の配列方向に沿って設けられており、押鍵操作に応じて変位する各伝達部材を支持するための伝達支持レール部と、
前記伝達支持レール部上に、前記各伝達部材がそれぞれ嵌合している各伝達保持軸を含む複数の伝達保持部と、
を有し、
前記複数の支持脚部と、前記伝達支持レール部と、前記複数の伝達保持部と、は一体に形成されており、前記伝達支持レール部における前記伝達保持軸に対応する位置には、前記伝達保持軸を成型するための型抜き孔が設けられていることを特徴とする鍵盤楽器。
【請求項８】
請求項７に記載の鍵盤楽器において、
前記鍵の配列方向に沿って、かつ、前記伝達支持レール部とは前記鍵の前後方向において重ならない位置に設けられており、前記押鍵操作された鍵に対してアクション荷重を付与する各ハンマー部材を支持するためのハンマー支持レール部と、
前記ハンマー支持レール部における鍵の前後方向の後側に、前記各ハンマー部材がそれぞれ嵌合している各ハンマー保持軸と、前記各ハンマー保持軸の両側に設けられている一対のガイド壁と、を含む複数のハンマー保持部と、
を有し、
前記複数の支持脚部と、前記伝達支持レール部と、前記複数の伝達保持部と、前記ハンマー支持レール部と、前記複数のハンマー保持部と、は一体に形成されていることを特徴とする鍵盤楽器。
【請求項９】
請求項１〜請求項８のいずれかに記載の鍵盤楽器と、
前記鍵盤装置の操作に応じて楽音を生成する楽音生成部と、
前記楽音生成部によって生成された楽音を出力する楽音出力部を備えることを特徴とする電子楽器。
【発明の詳細な説明】
【技術分野】
【０００１】
この発明は、ピアノなどの鍵盤楽器及び電子楽器に関する。
【背景技術】
【０００２】
例えば、鍵盤楽器においては、特許文献１に記載されているように、鍵の押鍵操作によって回転するウィッペンと、このウィッペンの回転動作に応じて駆動されるジャックと、このジャックによって駆動されて弦を打撃するハンマー部材とを備え、これらが複数の鍵それぞれに対応して設けられた構成のものが知られている。
【先行技術文献】
【特許文献】
【０００３】
【特許文献１】特開２００２−２５８８３５号公報
【０００４】
このような鍵盤楽器は、複数の鍵の配列方向における予め定められた複数個所にそれぞれ支持部材が配置され、これら複数の支持部材に複数の鍵の配列方向の全長に亘ってウィッペンレールとハンマーレールとが梁渡されている。ウィッペンレールには、複数のウィッペン保持部が複数の鍵それぞれに対応して取り付けられており、これらウィッペン保持部には、複数のウィッペンがそれぞれピンによって回転可能に取り付けられている。
【０００５】
また、ハンマーレールには、複数のハンマー保持部が複数のウィッペンそれぞれに対応して取り付けられており、これらハンマー保持部には、複数のハンマー部材の各シャンクがそれぞれピンによって回転可能に取り付けられている。
【発明の概要】
【発明が解決しようとする課題】
【０００６】
このような鍵盤楽器では、複数の支持部材にウィッペンレールを梁渡し、このウィッペンレールに複数のウィッペン保持部を個別に取り付けなければならないため、複数のウィッペン保持部をウィッペンレールに取り付ける際に、複数のウィッペンの取付手順に応じて複数のウィッペン保持部を順番にウィッペンレールに個別に取り付ける必要がある。このため、組立て作業が面倒で、生産性が悪く、低コスト化を図ることができないという問題がある。
【０００７】
また、この鍵盤楽器では、複数の支持部材にハンマーレールを梁渡し、このハンマーレールに多数のハンマー保持部を個別に取り付けなければならないため、複数のハンマー部材をハンマーレールに取り付ける際に、複数のハンマー部材の取付手順に応じて複数のハンマー保持部を順番にハンマーレールに個別に取り付ける必要がある。このため、組立て作業が面倒で、生産性が悪く、低コスト化を図ることができないという問題がある。
【０００８】
この発明が解決しようとする課題は、生産性が良く、低コスト化を図ることができる鍵盤楽器及び電子楽器を提供することである。
【課題を解決するための手段】
【０００９】
この発明の一態様は、鍵の配列方向における複数個所に配置された複数の支持脚部と、前記鍵の配列方向に沿って設けられており、押鍵操作に応じて変位する各伝達部材を支持するための伝達支持レール部と、前記鍵の配列方向に沿って、かつ、前記伝達支持レール部とは前記鍵の前後方向において重ならない位置に設けられており、前記押鍵操作された鍵に対してアクション荷重を付与する各ハンマー部材を支持するためのハンマー支持レール部と、を有し、前記複数の支持脚部と、前記伝達支持レール部と、前記ハンマー支持レール部と、は一体に形成されていることを特徴とする鍵盤楽器である。
【発明の効果】
【００１０】
この発明によれば、生産性が良く、低コスト化を図ることができる。
【図面の簡単な説明】
【００１１】
【図１】この発明を電子鍵盤楽器に適用した一実施形態における鍵盤装置を示した平面図である。
【図２】図１に示された鍵盤装置のＡ−Ａ矢視における拡大側断面図である。
【図３】図２に示された鍵盤装置のアクション搭載部材を示した拡大側断面図である。
【図４】図３に示された鍵盤装置のアクション搭載部材を示した要部の拡大平面図である。
【発明を実施するための形態】
【００１２】
以下、図１〜図４を参照して、この発明を電子鍵盤楽器に適用した一実施形態について説明する。
この電子鍵盤楽器は、図１および図２に示すように、鍵盤装置１を備えている。この鍵盤装置１は、楽器ケース（図示せず）内に組み込まれるものである。実際にはこの電子鍵盤楽器は、鍵盤装置１の押鍵操作に応じて楽音を生成する楽音生成部や、生成された楽音を出力する楽音出力部（例えば信号線や入出力端子等）や、この楽音を発音するスピーカ部等を備えていても良い。この鍵盤装置１は、並列に配列された複数の鍵２と、これら複数の鍵２の押鍵操作に応じて各鍵２それぞれにアクション荷重を付与するアクション機構３と、を備えている。
【００１３】
複数の鍵２は、図１および図２に示すように、白鍵２ａおよび黒鍵２ｂを有し、これら白鍵２ａおよび黒鍵２ｂが例えば８８個並列に配列されている。これら複数の鍵２は、その前後方向（図２では左右方向）におけるほぼ中間部がそれぞれバランスピン４ａ、４ｂによって上下方向に回転可能に支持され、この状態でベース板５上に並列に配列されている。
【００１４】
この場合、ベース板５上には、図２に示すように、複数の鍵２の各前端部（図２では右端部）の各下面がそれぞれ接離可能に当接するクッション材６ａ、６ｂが鍵２の配列方向に沿って設けられている。また、このベース板５上には、複数の鍵２の各後端部（図２では左端部）の各下面がそれぞれ接離可能に当接するクッション材７が鍵２の配列方向に沿って設けられている。さらに、このベース板５上には、複数の鍵２がその配列方向に横振れするのを防ぐためのガイドピン８ａ、８ｂがそれぞれ起立して設けられている。
【００１５】
アクション機構３は、図１および図２に示すように、複数の鍵２の押鍵操作に応じてそれぞれ上下方向に回転する複数の伝達部材１０（ウィッペン）と、これら複数の伝達部材１０の各回転動作に応じてそれぞれ上下方向に回転して複数の鍵２それぞれにアクション荷重を付与する複数のハンマー部材１１と、複数の伝達部材１０および複数のハンマー部材１１を鍵２の配列方向に沿って搭載するアクション搭載部材１２と、を備えている。
【００１６】
アクション搭載部材１２は、図１〜図４に示すように、複数の鍵２の配列方向における予め定められた複数個所に配置された複数の支持脚部１３を備えている。また、このアクション搭載部材１２は、複数の鍵２の配列方向に沿って複数の支持脚部１３に一体に形成されて複数の支持脚部１３を連結する伝達支持レール部１４と、この伝達支持レール部１４上に一体に形成されて複数の伝達部材１０をそれぞれ回転自在に保持する複数の伝達保持部１５と、を備えている。
【００１７】
さらに、このアクション搭載部材１２は、図１〜図４に示すように、複数の鍵２の配列方向に沿って複数の支持脚部１３に一体に形成されて複数の支持脚部１３を連結するハンマー支持レール部１６と、このハンマー支持レール部１６上に一体に形成されて複数のハンマー部材１１をそれぞれ回転自在に保持する複数のハンマー保持部１７と、を備えている。
【００１８】
複数の支持脚部１３は、図１および図２に示すように、鍵２の配列方向の全長における予め定められた複数個所にそれぞれ位置した状態で、ベース板５上に起立して取り付けられている。この場合、複数の鍵２は全体で例えば８８個配列されている。これに応じて、複数の支持脚部１３は、複数の鍵２の配列方向における両端部と、例えば２０個の鍵２ごとに位置する３箇所の各鍵２間と、の個所に配置されている。すなわち、この実施形態では、支持脚部１３が鍵２の配列方向の全長における５箇所に配置されている。
【００１９】
これら複数の支持脚部１３それぞれは、ＡＢＳ樹脂などの硬質の合成樹脂からなり、図１および図２に示すように、ベース板５上に取り付けられる取付部１３ａと、この取付部１３ａ上に一体に形成されたブリッジ部１３ｂと、を有している。これにより、支持脚部１３は、複数の鍵２の後部間に位置した状態で、取付部１３ａがベース板５上に取り付けられることにより、ブリッジ部１３ｂが鍵２の上方に突出するように構成されている。
【００２０】
また、複数の支持脚部１３には、図１〜図４に示すように、伝達支持レール部１４とハンマー支持レール部１６とが、鍵２の配列方向に沿って梁渡された状態で、一体に形成されている。すなわち、伝達支持レール部１４とハンマー支持レール部１６とは、支持脚部１３と同じ合成樹脂で形成されている。これにより、複数の支持脚部１３は、伝達支持レール部１４とハンマー支持レール部１６とによって連結されている。
【００２１】
伝達支持レール部１４は、図３および図４に示すように、帯板状の搭載部１４ａと、この搭載部１４ａの下面にその長手方向に沿って形成された縦板状の複数の補強リブ１４ｂとで構成されている。この場合、伝達支持レール部１４は、帯板状の搭載部１４ａと複数の補強リブ１４ｂとが複数の鍵２の配列方向の全長に亘って、複数の支持脚部１３に梁渡された状態で一体に形成された構成になっている。
【００２２】
すなわち、伝達支持レール部１４は、図３に示すように、複数の補強リブ１４ｂの各下端部が、複数の支持脚部１３における各ブリッジ部１３ｂの後端下部（図３では左側下部）に位置する各後側レール支持部１３ｃ上に位置した状態で、複数の補強リブ１４ｂそれぞれが起立した状態で、各後側レール支持部１３ｃ上に一体に形成された構成になっている。
【００２３】
また、ハンマー支持レール部１６は、図２〜図４に示すように、断面Ｈ形状の本体部１６ａと、この本体部１６ａ内における上下部に形成された複数の補強リブ１６ｂとで構成されている。この場合、本体部１６ａは、帯板状の水平板部の両側に一対の縦板部を上下に突出させて形成した構成になっている。
【００２４】
このため、本体部１６ａは、図２〜図４に示すように、一対の縦板部が帯板状の水平板部の撓みを防ぐ補強リブとして機能するように構成されている。また、複数の補強リブ１６ｂは、鍵２の配列方向に沿って所定間隔で本体部１６ａの上下部に多数形成され、ハンマー支持レール部１６の捩れを防ぐように構成されている。
【００２５】
これにより、ハンマー支持レール部１６は、図２〜図４に示すように、本体部１６ａが複数の鍵２の配列方向の全長に亘って、複数の支持脚部１３に梁渡された状態で一体に形成されている。この場合、ハンマー支持レール部１６は、本体部１６ａの下端部が、複数の支持脚部１３における各ブリッジ部１３ｂの前端上部（図３では右側上部）に位置する各前側レール支持部１３ｄ上に一体に形成されている。
【００２６】
ところで、伝達支持レール部１４上には、図２〜図４に示すように、複数の伝達部材１０を回転可能に保持するための複数の伝達保持部１５が、鍵２の配列方向における全長に亘って一体に形成されている。これら複数の伝達保持部１５それぞれは、複数の支持脚部１３および伝達支持レール部１４と同じ合成樹脂で形成されている。また、複数の伝達保持部１５それぞれは、一対のガイド壁１５ａと、これら一対のガイド壁１５ａ間に形成された伝達保持軸１５ｂと、を有している。
【００２７】
この場合、一対のガイド壁１５ａは、図２〜図４に示すように、伝達部材１０の後述する伝達嵌合部１９を両側から摺動可能に挟んだ状態で、伝達部材１０の伝達嵌合部１９を回転可能にガイドするガイド部としての機能を有するように構成されている。伝達保持軸１５ｂは、伝達部材１０の伝達嵌合部１９を回転可能に保持するように構成されている。この場合、伝達支持レール部１４の搭載部１４ａには、伝達保持軸１５ｂを成型するための型抜き孔１４ｃが、伝達保持軸１５ｂに対応して設けられている。
【００２８】
伝達部材１０は、ＡＢＳ樹脂などの硬質の合成樹脂からなり、図２に示すように、鍵２の押鍵操作に応じて上下方向に回転してハンマー部材１１を上下方向に回転させる伝達本体部１８と、この伝達本体部１８に一体に形成されて伝達保持部１５の伝達保持軸１５ｂに回転自在に取り付けられる伝達嵌合部１９と、を有している。
【００２９】
伝達本体部１８は、図２に示すように、ワッフル形状に形成されている。すなわち、この伝達本体部１８は、厚みの薄い縦板部１８ａと、この縦板部１８ａの外周部および両側面に格子状に形成された複数のリブ部１８ｂと、を有し、これらがワッフル形状に形成されている。
【００３０】
この伝達本体部１８は、図２に示すように、縦板部１８ａの形状および複数のリブ部１８ｂの形成密度によって、伝達部材１０の重量を調整するように構成されている。また、この伝達本体部１８は、縦板部１８ａの厚みを薄く形成しても、複数のリブ部１８ｂによって強度が確保されると共に、成形時に縦板部１８ａにヒケの発生を防ぐように構成されている。
【００３１】
伝達嵌合部１９は、図２に示すように、全体が逆Ｃ字形状に形成され、伝達本体部１８の後端部（図２では左端部）にその後方に突出して形成されている。すなわち、この伝達嵌合部１９は、鍵２の配列方向の厚みが伝達保持部１５の一対のガイド壁１５ａ間とほぼ同じ長さに形成され、一対のガイド壁１５ａ間に摺動可能に挿入されるように構成されている。
【００３２】
また、この伝達嵌合部１９は、図２に示すように、その中心部に伝達保持部１５の伝達保持軸１５ｂが嵌合する嵌合孔１９ａが形成され、この嵌合孔１９ａの周囲における一部、つまり嵌合孔１９ａの周囲における後部に伝達保持軸１５ｂが挿脱可能に挿入する挿入口１９ｂが形成され、この挿入口１９ｂを通して伝達保持軸１５ｂが嵌合孔１９ａに挿入することにより、伝達保持軸１５ｂに回転可能に取り付けられるように構成されている。
【００３３】
この場合、伝達嵌合部１９は、図２に示すように、挿入口１９ｂを通して伝達保持軸１５ｂが嵌合孔１９ａに挿入される際に、伝達部材１０を伝達保持軸１５ｂの上方に起立させて挿入口１９ｂを伝達保持軸１５ｂの両側の切り欠かれた個所に対応させ、この状態で挿入口１９ｂを伝達保持軸１５ｂに圧入する際に、挿入口１９ｂが伝達保持軸１５ｂで少し押し広げられることにより、伝達保持軸１５ｂが挿入口１９ｂを通して嵌合孔１９ａに挿入されて嵌合するように構成されている。
【００３４】
ところで、この伝達部材１０の伝達本体部１８は、図２に示すように、その下部が鍵２の上面に向けて突出して形成されている。この伝達本体部１８の下端部には、第１伝達フェルト２０が設けられている。この第１伝達フェルト２０は、鍵２の後側上部に設けられたキャプスタン２１が下側から当接するように構成されている。これにより、伝達部材１０は、鍵２が押鍵された際に、第１伝達フェルト２０に下側から当接する鍵２のキャプスタン２１によって押し上げられて、伝達保持軸１５ｂを中心に反時計回りに回転するように構成されている。
【００３５】
また、伝達部材１０の伝達本体部１８は、図２に示すように、その前端上部が後端上部よりも高く形成され、これにより上辺部が後部下がりに傾斜するように形成されている。この伝達本体部１８の前端上部には、ハンマー部材１１の後述するハンマー突起部２２が上方から当接する第２伝達フェルト２３が設けられている。これにより、伝達部材１０は、鍵２が押鍵されて伝達保持軸１５ｂを中心に反時計回りに回転した際に、ハンマー部材１１のハンマー突起部２２を押し上げてハンマー部材１１を時計回りに回転させるように構成されている。
【００３６】
一方、ハンマー支持レール部１６には、図２〜図４に示すように、複数のハンマー部材１１それぞれが回転自在に取り付けられる複数のハンマー保持部１７が、鍵２の配列方向における全長に亘って一体に形成されている。これら複数のハンマー保持部１７それぞれは、ハンマー支持レール部１６の本体部１６ａの後端部（図３では左端部）に各伝達部材１０と対応して形成された一対のガイド壁１７ａと、これら一対のガイド壁１７ａ間に形成されたハンマー保持軸１７ｂと、を有している。
【００３７】
この場合、一対のガイド壁１７ａは、図２〜図４に示すように、ハンマー部材１１の後述するハンマー嵌合部２６を両側から摺動可能に挟んだ状態で、ハンマー部材１１のハンマー嵌合部２６を回転可能にガイドするガイド部としての機能を有するように構成されている。ハンマー保持軸１７ｂは、ハンマー部材１１のハンマー嵌合部２６を回転可能に保持するように構成されている。
【００３８】
複数のハンマー部材１１それぞれは、ＡＢＳ樹脂などの硬質の合成樹脂からなり、図２に示すように、ハンマー部２４とハンマーアーム２５とを有し、これらが一体に形成された構成になっている。ハンマー部２４は、杓形状の縦板部２４ａを有し、その外周部およびその両側面にリブ部２４ｂが形成された構成になっている。ハンマーアーム２５は、前後方向の長さが伝達部材１０とほぼ同じ長さの横板部２５ａを有し、その外周部および両側面にリブ部２５ｂが形成された構成になっている。
【００３９】
このハンマーアーム２５の前端部（図２では右端部）には、図２に示すように、ハンマー保持部１７に回転自在に取り付けられるハンマー嵌合部２６が形成されている。このハンマー嵌合部２６は、伝達嵌合部１９と同様、全体がＣ字形状に形成され、ハンマーアーム２５の前端部にその前方に突出して形成されている。すなわち、このハンマー嵌合部２６は、鍵２の配列方向の厚みがハンマー保持部１７の一対のガイド壁１７ａ間とほぼ同じ長さに形成されて、一対のガイド壁１７ａ間に摺動可能に挿入されるように構成されている。
【００４０】
また、このハンマー嵌合部２６は、図２に示すように、その中心にハンマー保持部１７のハンマー保持軸１７ｂが嵌合する嵌合孔２６ａが形成され、この嵌合孔２６ａの周囲における一部、つまり嵌合孔２６ａの周囲における前部にハンマー保持軸１７ｂが挿脱可能に挿入する挿入口２６ｂが形成され、この挿入口２６ｂを通してハンマー保持軸１７ｂが嵌合孔２６ａに挿入することにより、ハンマー保持軸１７ｂに回転可能に取り付けられるように構成されている。
【００４１】
この場合、ハンマー嵌合部２６は、図２に示すように、挿入口２６ｂを通してハンマー保持軸１７ｂが嵌合孔２６ａに挿入される際に、ハンマー部材１１をハンマー保持軸１７ｂの上方に起立させて挿入口２６ｂをハンマー保持軸１７ｂの両側の切り欠かれた個所に対応させ、この状態で挿入口２６ｂをハンマー保持軸１７ｂに圧入する際に、挿入口２６ｂがハンマー保持軸１７ｂで少し押し広げられることにより、ハンマー保持軸１７ｂが挿入口２６ｂを通して嵌合孔２６ａに挿入されて嵌合するように構成されている。
【００４２】
さらに、ハンマーアーム２５の前端下部には、図２に示すように、伝達部材１０の伝達本体部１８の前端上部に設けられた第２伝達フェルト２３に上方から当接するハンマー突起部２２が設けられている。これにより、ハンマー部材１１は、伝達部材１０が反時計回りに回転すると、その回転に応じてハンマー突起部２２が押し上げられることにより、ハンマー保持部１７のハンマー保持軸１７ｂを中心に時計回りに回転するように構成されている。
【００４３】
また、このハンマーアーム２５は、図２に示すように、その後端下部が下限ストッパ２７に上方から当接することにより、初期位置である下限位置に規制されるように構成されている。すなわち、この下限ストッパ２７は、伝達支持レール部１４上に取り付けられた複数のストッパ支持部２８に支持された下限ストッパレール２９上に取り付けられている。この場合、複数のストッパ支持部２８は、図２に示すように、その各上部が後部下がりに傾斜して形成されている。
【００４４】
下限ストッパレール２９は、図２に示すように、下側に開放されたレール状に形成され、鍵２の配列方向の全長に亘る長さに形成されている。この下限ストッパレール２９は、複数のストッパ支持部２８の各上部に後部下りに傾斜した状態で取り付けられている。このため、下限ストッパ２７は、下限ストッパレール２９上に後部下がりに傾斜した状態で設けられている。これにより、ハンマー部材１１は、ハンマーアーム２５の後端下部が下限ストッパ２７に上方から当接することにより、後部下がりに傾斜した状態で、初期位置に位置規制されるように構成されている。
【００４５】
また、このハンマーアーム２５は、図２に示すように、その後端上部が上限ストッパ３０に下方から当接することにより、上限位置が規制されるように構成されている。すなわち、この上限ストッパ３０は、複数の支持脚部１３の後端上部に位置する各ストッパレール支持部１３ｅに取り付けられた上限ストッパレール３１の下面に取り付けられている。
【００４６】
この場合、上限ストッパレール３１は、図２に示すように、断面がほぼＬ字形状に形成された長板であり、鍵２の配列方向の全長に亘る長さに形成されている。この上限ストッパレール３１は、その水平部が複数の支持脚部１３の各ストッパレール支持部１３ｅから後方に突出した状態で、垂直部が各ストッパレール支持部１３ｅにビス３１ａによって取り付けられている。
【００４７】
上限ストッパ３０は、図２に示すように、上限ストッパレール３１の水平部の下面に設けられている。これにより、ハンマー部材１１は、ハンマーアーム２５がハンマー保持部１７のハンマー保持軸１７ｂを中心に時計回りに回転した際に、ハンマーアーム２５の後端上部が上限ストッパ３０に下方から当接することにより、上限位置が規制されるように構成されている。
【００４８】
さらに、ハンマーアーム２５の前端上部には、図２に示すように、スイッチ押圧部３２が形成されている。このハンマーアーム２５のスイッチ押圧部３２に対応する上方には、スイッチ基板３３が一対の基板支持レール３４によって配置されている。これら一対の基板支持レール３４は、それぞれ断面がＬ字形状に形成された長板であり、鍵２の配列方向の全長に亘る長さに形成されている。
【００４９】
これら一対の基板支持レール３４は、図２に示すように、その各水平部が複数の支持脚部１３の上端部に位置する各基板レール支持部１３ｆ上に所定間隔離れた状態で取り付けられている。スイッチ基板３３は、図１に示すように、複数に分割されている。すなわち、この実施形態では、スイッチ基板３３が例えば４つに分割されて２０個程度の各鍵２に対応する長さで、一対の基板支持レール３４上に取り付けられている。
【００５０】
これらスイッチ基板３３の下面には、図２に示すように、ゴムスイッチ３５がそれぞれ設けられている。このゴムスイッチ３５は、鍵２の配列方向に長いゴムシートに複数の逆ドーム状の膨出部３５ａが複数のハンマーアーム２５にそれぞれ対応して形成された構成になっている。この膨出部３５ａの内部には、スイッチ基板３３の下面に設けられた複数の固定接点（図示せず）に接離可能に接触する複数の可動接点３５ｂがハンマーアーム２５の前後方向に沿って設けられている。
【００５１】
これにより、ゴムスイッチ３５は、図２に示すように、ハンマー部材１１がハンマー保持部１７のハンマー保持軸１７ｂを中心に時計回りに回転して、ハンマーアーム２５のスイッチ押圧部３２によって下側から押圧された際に、逆ドーム状の膨出部３５ａが弾性変形して、複数の可動接点３５ｂが時間差を持って順次、複数の固定接点に接触することにより、鍵２の押鍵強さに応じたスイッチ信号を出力するように構成されている。
【００５２】
次に、このような電子鍵盤楽器の鍵盤装置１におけるアクション搭載部材１２を製作する場合について説明する。
このアクション搭載部材１２は、成型用金型によって１回で成型されている。すなわち、この成型用金型（図示せず）は、アクション搭載部材１２が、複数の支持脚部１３、伝達支持レール部１４、複数の伝達保持部１５、ハンマー支持レール部１６、複数のハンマー保持部１７を備えていても、このアクション搭載部材１２を１回で製作するように構成されている。
【００５３】
この場合、成型用金型は、上金型、下金型、および１つのスライドコアで構成されている。すなわち、アクション搭載部材１２の複数の支持脚部１３は、取付部１３ａとブリッジ部１３ｂとを有し、取付部１３ａがブリッジ部１３の後方に突出し、かつブリッジ部１３ｂの後端上部のストッパレール支持部１３ｅがオーバーハング形状に形成されている。このため、成型用金型は、上金型と下金型とのほかに、スライドコアが設けられていることにより、このスライドコアによって、ブリッジ部１３の後方に突出する取付部１３ａの後部と、その上方のオーバーハング形状の個所とを形成するように構成されている。
【００５４】
また、アクション搭載部材１２の伝達支持レール部１４は、帯板状の搭載部１４ａとその下面に垂下された複数の補強リブ１４ｂとで構成されている。このため、この成型用金型の上金型と下金型とは、帯板状の搭載部１４ａの下面で分割されていることにより、伝達支持レール部１４を形成するように構成されている。
【００５５】
また、アクション搭載部材１２の複数の伝達保持部１５は、一対のガイド壁１５ａとその間に形成された伝達保持軸１５ｂとを備え、一対のガイド壁１５ａが伝達支持レール部１４の搭載部１４ａ上に形成されている。このため、この成型用金型は、その下金型の一部が伝達支持レール部１４の搭載部１４ａに設けられた型抜き孔１４ｃにその下側から挿入されて伝達保持軸１５ｂの下面に配置され、この状態で伝達保持軸１５ｂの軸中心で上金型と下金型とが分割されることにより、複数の伝達保持部１５を形成するように構成されている。
【００５６】
また、このアクション搭載部材１２のハンマー支持レール部１６は、断面形状がＨ字形状の本体部１６ａと、この本体部１６ａ内における上下部に形成された複数の補強リブ１６ｂとで構成されている。このため、この成型用金型は、上金型と下金型とが本体部１６ａの水平部で分割されていることにより、ハンマー支持レール部１６を形成するように構成されている。
【００５７】
また、このアクション搭載部材１２における複数のハンマー保持部１７は、一対のガイド壁１７ａと、その間に形成されたハンマー保持軸１７ｂとを備え、これらがハンマー支持レール部１６の後端部に後方に向けて突出した構成になっている。このため、この成型用金型は、上金型と下金型とがハンマー保持軸１７ｂの軸中心で分割されていることにより、複数のハンマー保持部１７を形成するように構成されている。
【００５８】
さらに、このアクション搭載部材１２の複数の支持脚部１３は、取付部１３ａとブリッジ部１３ｂとを有し、取付部１３ａがブリッジ部１３ｂの前方に突出して形成されている。このため、この成型用金型は、上金型と下金型とが取付部１３ａとブリッジ部１３ｂとの境界部で分割されていることにより、ブリッジ部１３ｂの前方に突出する取付部１３ａの前部を形成するように構成されている。
【００５９】
次に、このような電子鍵盤楽器の鍵盤装置１を組み立てる場合について説明する。
まず、ベース板５上に複数の鍵２を設置すると共に、アクション搭載部材１２を設置する。この場合には、図１および図２に示すように、８８個の鍵２をベース板５上にバランスピン４ａ、４ｂによってそれぞれ上下方向に回転可能に取り付けた状態で並列に配列させる。また、アクション搭載部材１２を設置する際には、複数の支持脚部１３を、ベース板５上における鍵２の配列方向における両端部に位置する箇所と、２０個の鍵２ごとに位置する３箇所の各鍵２間に位置するベース板５上の箇所とに取り付ける。
【００６０】
この状態では、図３および図４に示すように、複数の支持脚部１３の各後側レール支持部１３ｃ上に一体に形成されて梁渡された伝達支持レール部１４が複数の鍵２の上方にその鍵２の配列方向の全長に亘って配置される。また、この状態では、複数の支持脚部１３の各前側レール支持部１３ｄ上に一体に形成されて梁渡されたハンマー支持レール部１６が複数の鍵２の上方にその鍵２の配列方向の全長に亘って配置される。
【００６１】
この場合には、伝達支持レール部１４上に一体に形成された複数の伝達保持部１５が複数の鍵２に対応した状態で鍵２の上方に配置される。また、ハンマー支持レール部１６上に一体に形成された複数のハンマー保持部１７が複数の鍵２に対応した状態で鍵２の上方に配置される。これにより、アクション搭載部材１２がベース板５上に設置される。
【００６２】
この状態で、アクション搭載部材１２の伝達支持レール部１４上に複数のストッパ支持部２８を鍵２の配列方向に沿って取り付ける。この場合には、複数のストッパ支持部２８を、複数の支持脚部１３に対応する伝達支持レール部１４上の５箇所に、複数の伝達保持部１５の上方に突出させた状態で取り付ける。
【００６３】
この状態で、まず、複数の伝達部材１０をアクション搭載部材１２の複数の伝達保持部１５に順次取り付ける。この場合には、伝達部材１０を伝達保持部１５の上方に起立させて、伝達嵌合部１９の挿入口１９ｂを伝達保持部１５の伝達保持軸１５ｂに対応させ、この状態で圧入により挿入口１９ｂを通して伝達保持軸１５ｂを嵌合孔１９ａに相対的に挿入させて嵌合させる。
【００６４】
このときには、挿入口１９ｂが伝達保持軸１５ｂの切り欠かれた個所で少し押し広げられることにより、挿入口１９ｂを伝達保持軸１５ｂに簡単にかつ容易に挿入させることができ、この挿入口１９ｂを通して伝達保持軸１５ｂを嵌合孔１９ａに相対的に挿入させて回転可能に嵌合させることができる。この状態で、伝達保持軸１５ｂを中心に伝達部材１０を時計回りに回転させる。
【００６５】
このときには、伝達嵌合部１９が伝達保持部１５の一対のガイド壁１５ａ間に挿入されて配置されていることにより、伝達嵌合部１９が一対のガイド壁１５ａの各対向面に摺動可能に挟まれた状態で回転する。このため、伝達部材１０が鍵２の配列方向に横触れすることがない。また、このときには、伝達部材１０の下部の第１伝達フェルト２０が鍵２のキャプスタン２１に上方から当接し、伝達部材１０が初期位置に規制される。
【００６６】
このように、複数の伝達部材１０をそれぞれ起立させてアクション搭載部材１２の各伝達保持部１５に対応させ、この状態で伝達部材１０の各伝達嵌合部１９を各伝達保持部１５の各伝達保持軸１５ｂに順次嵌合させることにより、複数の伝達部材１０がアクション搭載部材１２の各伝達保持部１５に簡単に取り付けられる。
【００６７】
これにより、アクション搭載部材１２上にすべての伝達部材１０がすべての鍵２に対応して取り付けられる。この状態で、複数のストッパ支持部２８の上部に下限ストッパレール２９を伝達支持レール部１４と平行な状態でその上方に梁渡して取り付け、この下限ストッパレール２９上にその全長に亘って下限ストッパ２７を取り付ける。
【００６８】
そして、複数のハンマー部材１１をアクション搭載部材１２のハンマー支持レール部１６上に形成された複数のハンマー保持部１７に順次取り付ける。この場合には、伝達部材１０と同様、ハンマー部材１１をハンマー保持部１７の上方に起立させて、ハンマー嵌合部２６の挿入口２６ｂをハンマー保持部１７のハンマー保持軸１７ｂに対応させ、この状態で圧入により挿入口２６ｂを通してハンマー保持軸１７ｂが嵌合孔２６ａに相対的に挿入する。
【００６９】
このときには、挿入口２６ｂがハンマー保持軸１７ｂの切り欠かれた個所で少し押し広げられることにより、挿入口２６ｂをハンマー保持軸１７ｂに簡単にかつ容易に挿入させることができ、この挿入口２６ｂを通してハンマー保持軸１７ｂを嵌合孔２６ａに相対的に挿入させて回転可能に嵌合させることができる。この状態で、ハンマー保持軸１７ｂを中心にハンマー部材１１を反時計回りに回転させる。
【００７０】
このときには、ハンマー嵌合部２６がハンマー保持部１７の一対のガイド壁１７ａ間に挿入されて配置されることにより、ハンマー嵌合部２６が一対のガイド壁１７ａの各対向面に摺動可能に挟まれた状態で回転する。このため、ハンマー部材１１が、鍵２の配列方向に横触れすることがなく、上下方向に回転する。
【００７１】
また、このときには、ハンマー部材１１のハンマー突起部２２が伝達部材１０の第２伝達フェルト２３に上方から当接すると共に、ハンマーアーム２５の後側下部が下限ストッパ２７に上方から当接する。これにより、ハンマー部材１１が後部下がりに傾斜した状態で初期位置に規制される。
【００７２】
このように、複数のハンマー部材１１をそれぞれ起立させてアクション搭載部材１２の各ハンマー保持部１７に対応させ、この状態でハンマー部材１１の各ハンマー嵌合部２６を各ハンマー保持部１７の各ハンマー保持軸１７ｂに順次嵌合させることにより、複数のハンマー部材１１がアクション搭載部材１２の各ハンマー保持部１７に簡単に取り付けられる。これにより、アクション搭載部材１２上にすべてのハンマー部材１１がすべての鍵２に対応して取り付けられる。
【００７３】
この後、アクション搭載部材１２の複数の支持脚部１３の後端上部に位置する各ストッパレール支持部１３ｅに上限ストッパレール３１を取り付け、この上限ストッパレール３１の下面に上限ストッパ３０を取り付ける。また、アクション搭載部材１２の複数の支持脚部１３の上端部に位置する各基板レール支持部１３ｆ上に所定間隔離して一対の基板支持レール３４を取り付ける。この状態で、一対の基板支持レール３４上に複数のスイッチ基板３３を鍵２の配列方向に沿って取り付ける。
【００７４】
この場合には、予め、スイッチ基板３３の下面にゴムスイッチ３５を取り付ける。そして、このスイッチ基板３３を一対の基板支持レール３４上に取り付ける際には、ゴムスイッチ３５の各膨出部３５ａを複数のハンマーアーム２５の各スイッチ押圧部３２にそれぞれ対応させる。これにより、アクション搭載部材１２に複数の伝達部材１０、複数のハンマー部材１１、下限ストッパ２７、上限ストッパ３０、およびがスイッチ基板３３が搭載された鍵盤装置１が組み立てられる。
【００７５】
次に、このような電子鍵盤楽器の鍵盤装置１の作用について説明する。
この鍵盤装置１では、鍵２を押鍵操作して演奏をする。このときには、鍵２が押鍵されると、鍵２がバランスピン４ａ、４ｂを中心に時計回りに回転し、鍵２のキャプスタン２１が伝達部材１０を押し上げる。これにより、伝達部材１０が伝達保持部１５の伝達保持軸１５ｂを中心に反時計回りに回転する。
【００７６】
このときには、伝達部材１０の伝達嵌合部１９の嵌合孔１９ａに伝達保持部１５の伝達保持軸１５ｂが嵌合しているので、伝達部材１０が鍵２の前後方向に位置ずれすることなく、伝達保持軸１５ｂを中心に円滑に回転する。また、このときには、伝達部材１０の伝達嵌合部１９が伝達保持部１５の一対のガイド壁１５ａ間に摺動回転可能に挟まれた状態でガイドされるので、伝達部材１０が横振れすることなく、円滑に上下方向に回転する。
【００７７】
このように、伝達部材１０が鍵２のキャプスタン２１によって押し上げられて反時計回りに回転すると、この伝達部材１０の第２伝達フェルト２３によってハンマー部材１１のハンマー突起部２２が押上げられる。これにより、ハンマー部材１１がハンマー保持部１７のハンマー保持軸１７ｂを中心に時計回りに回転して、鍵２にアクション荷重を付与する。
【００７８】
このときには、伝達部材１０と同様、ハンマー部材１１のハンマー嵌合部２６の嵌合孔２６ａにハンマー保持部１７のハンマー保持軸１７ｂが嵌合しているので、ハンマー部材１１が鍵２の前後方向に位置ずれすることなく、ハンマー保持軸１７ｂを中心に円滑に回転する。また、このときには、ハンマー部材１１のハンマー嵌合部２６がハンマー保持部１７の一対のガイド壁１７ａ間に摺動回転可能に挟まれた状態でガイドされるので、ハンマー部材１１が横振れすることなく、円滑に上下方向に回転する。
【００７９】
このようにハンマー部材１１がハンマー保持軸１７ｂを中心に時計回りに回転する際には、ハンマー部材１１の慣性モーメントによって鍵２にアクション荷重が付与される。すなわち、ハンマーアーム２５は、鍵２の前後方向の長さが伝達部材１０とほぼ同じ長さに形成され、このハンマーハンマーアーム２５の後端部にハンマー部２４が形成され、この状態でハンマーアーム２５の前端部の嵌合部２６がハンマー保持軸１７ｂに回転可能に取り付けられている。
【００８０】
このため、ハンマー部材１１がハンマー保持軸１７ｂを中心に時計回りに回転する際には、ハンマー部材１１に慣性モーメントが発生し、この慣性モーメントによって鍵２にアクション荷重が付与される。これにより、アコースティックピアノの鍵タッチ感に極めて近似した鍵タッチ感が得られる。
【００８１】
このようにハンマー部材１１がハンマー保持軸１７ｂを中心に時計回りに回転すると、ハンマーアーム２５のスイッチ押圧部３２がスイッチ基板３３に設けられたゴムスイッチ３５の逆ドーム状の膨出部３５ａを下側から押圧する。これにより、逆ドーム状の膨出部３５ａが弾性変形して、膨出部３５ａ内の複数の可動接点３５ｂが時間差を持って順次、複数の固定接点に接触することにより、鍵２の押鍵強さに応じたスイッチ信号を出力し、スピーカ（図示せず）から楽音を発生する。
【００８２】
そして、ハンマー部材１１がハンマー保持軸１７ｂを中心に更に時計回りに回転すると、ハンマーアーム２５の後端上部が上限ストッパ３０に下側から当接して、ハンマー部材１１の回転が規制される。この後、鍵２が離鍵動作を開始すると、伝達部材１０が時計回りに回転して初期位置に戻ると共に、ハンマー部材１１が反時計回りに回転して初期位置に戻る。
【００８３】
このように、この電子鍵盤楽器の鍵盤装置１によれば、並列に配列された複数の鍵２それぞれの押鍵操作に応じて変位する複数の伝達部材１０と、押鍵操作されている鍵２にアクション荷重を付与する複数のハンマー部材１１とを、鍵２の配列方向に沿って搭載するアクション搭載部材１２を備え、このアクション搭載部材１２が、複数の鍵２の配列方向における予め定められた複数個所に配置された複数の支持脚部１３と、鍵２の配列方向に沿って複数の支持脚部１３に一体に形成されて複数の支持脚部１３を連結する伝達支持レール部１４と、この伝達支持レール部１４上に一体に形成されて複数の伝達部材１０をそれぞれ回転自在に保持する複数の伝達保持部１５と、を有しているので、組立て作業性および生産性が良く、低コスト化を図ることができる。
【００８４】
すなわち、この鍵盤装置１では、複数の伝達部材１０を複数の伝達保持部１５に取り付ける前に、予め、複数の支持脚部１３に伝達支持レール部１４を取り付ける必要がなく、また複数の伝達部材１０をそれぞれ回転自在に保持する複数の伝達保持部１５を個別に製作して伝達支持レール部１４に組み付ける必要がなく、アクション搭載部材１２を設置するだけで、簡単に複数の支持脚部１３、伝達支持レール部１４および複数の伝達保持部１５を一度に設置することができる。このため、組立て作業が容易にできるので、生産性が良く、低コスト化を図ることができる。
【００８５】
この場合、複数の支持脚部１３に一体に形成されて複数の支持脚部１３を連結する伝達支持レール部１４は、帯板状の搭載部１４ａと、この搭載部１４ａの下面にその長手方向に沿って形成された縦板状の複数の補強リブ１４ｂとで構成されているので、これらを複数の鍵２の配列方向の全長に亘って、複数の支持脚部１３に梁渡しても、十分な強度を確保することができる。
【００８６】
このため、伝達支持レール部１４上に、複数の伝達部材１０が取り付けられる複数の伝達保持部１５を鍵２の配列方向の全長に亘って一体に形成することができると共に、これら複数の伝達保持部１５それぞれに伝達部材１０を取り付けても、またこれら複数の伝達部材１０が鍵２の押鍵動作しに応じて上下方向に回転しても、伝達支持レール部１４が撓んだり揺れたりすることがなく、確実にかつ良好に伝達部材１０を保持した状態で搭載することができる。
【００８７】
この場合、伝達部材１０は、伝達保持部１５に回転自在に取り付けられる伝達嵌合部１９を、伝達保持部１５に差し込むことにより、伝達保持部１５に回転自在に取り付けられる構成であるから、伝達支持レール部１４上に複数の伝達保持部１５が鍵２の配列方向に沿って形成されていても、簡単に伝達嵌合部１９を伝達保持部１５に回転自在に取り付けることができる。
【００８８】
すなわち、伝達部材１０の伝達嵌合部１９は、その中心部に嵌合孔１９ａが設けられ、この嵌合孔１９ａの周囲の一部に挿入口１９ｂが設けられており、伝達保持部１５は、一対のガイド壁１５ａと、これら一対のガイド壁１５ａ間に設けられた伝達保持軸１５ｂとで構成されていることにより、挿入口１９ｂを通して伝達保持軸１５ｂを嵌合孔１９ａに挿入させて嵌合させるだけで、簡単にかつ容易に伝達嵌合部１９を伝達保持軸１５ｂに回転可能に取り付けることができる。
【００８９】
この場合、アクション搭載部材１２は、複数の支持脚部１３、伝達支持レール部１４、および複数の伝達保持部１５を備えた構成であっても、上金型、下金型、および１つのスライドコアで構成された成型用金型によって１度に成型することができるので、これによっても生産性が良く、低コスト化を図ることができる。
【００９０】
また、この鍵盤装置１によれば、複数の伝達部材１０と複数のハンマー部材１１とを鍵２の配列方向に沿って搭載するアクション搭載部材１２が、複数の鍵２の配列方向における予め定められた複数個所に配置された複数の支持脚部１３と、鍵２の配列方向に沿って複数の支持脚部１３に一体に形成されて複数の支持脚部１３を連結するハンマー支持レール部１６と、このハンマー支持レール部１６上に一体に形成されて複数のハンマー部材１１をそれぞれ回転自在に保持する複数のハンマー保持部１７と、を有しているので、組立て作業性および生産性が良く、低コスト化を図ることができる。
【００９１】
すなわち、この鍵盤装置１では、複数のハンマー部材１１を複数のハンマー保持部１７に取り付ける前に、予め、複数の支持脚部１３にハンマー支持レール部１６を取り付ける必要がなく、また複数のハンマー部材１１をそれぞれ回転自在に保持する複数のハンマー保持部１７を個別に製作してハンマー支持レール部１６に組み付ける必要がなく、アクション搭載部材１２を設置するだけで、簡単に複数の支持脚部１３、ハンマー支持レール部１６および複数のハンマー保持部１７を一度に設置することができる。このため、組立て作業が容易にできるので、生産性が良く、低コスト化を図ることができる。
【００９２】
この場合にも、複数の支持脚部１３に一体に形成されて複数の支持脚部１３を連結するハンマー支持レール部１６は、断面Ｈ形状の本体部１６ａと、この本体部１６ａ内における上下部に形成された複数の補強リブ１６ｂとで構成されているので、これらを複数の鍵２の配列方向の全長に亘って、複数の支持脚部１３に梁渡しても、十分な強度を確保することができる。
【００９３】
このため、ハンマー支持レール部１６上に、複数のハンマー部材１１が取り付けられる複数のハンマー保持部１７を鍵２の配列方向の全長に亘って一体に形成することができると共に、これら複数のハンマー保持部１７それぞれにハンマー部材１１を取り付けても、またこれら複数のハンマー部材１１が伝達部材１０の上下方向への変位に応じて上下方向に回転しても、ハンマー支持レール部１６が撓んだり揺れたりすることがなく、確実にかつ良好にハンマー部材１１を保持した状態で搭載することができる。
【００９４】
この場合、ハンマー部材１１は、ハンマー保持部１７に回転自在に取り付けられるハンマー嵌合部２６を、ハンマー保持部１７に差し込むことにより、ハンマー保持部１７に回転自在に取り付けられる構成であるから、ハンマー支持レール部１６上に複数のハンマー保持部１７が鍵２の配列方向にそって形成されていても、簡単にハンマー嵌合部２６をハンマー保持部１７に回転自在に取り付けることができる。
【００９５】
すなわち、ハンマー部材１１のハンマー嵌合部２６は、その中心部に嵌合孔２６ａが設けられ、この嵌合孔２６ａの周囲の一部に挿入口２６ｂが設けられており、ハンマー保持部１７は、一対のガイド壁１７ａと、これら一対のガイド壁１７ａ間に設けられたハンマー保持軸１７ｂと、で構成されていることにより、挿入口２６ｂを通してハンマー保持軸１７ｂを嵌合孔２６ａに挿入させて嵌合させるだけで、簡単にかつ容易にハンマー嵌合部２６をハンマー保持軸１７ｂに回転可能に取り付けることができる。
【００９６】
この場合、アクション搭載部材１２は、複数の支持脚部１３、ハンマー支持レール部１６、および複数のハンマー保持部１７を備えた構成であっても、上金型、下金型、および１つのスライドコアで構成された成型用金型によって１度に成型することができるので、これによっても生産性が良く、低コスト化を図ることができる。
【００９７】
このように、この鍵盤装置１では、複数の伝達部材１０と複数のハンマー部材１１とを鍵２の配列方向に沿って搭載するアクション搭載部材１２が、複数の支持脚部１３と、伝達支持レール部１４と、複数の伝達保持部１５と、ハンマー支持レール部１６と、複数のハンマー保持部１７と、を一体に形成した構成であるから、アクション搭載部材１２を設置するだけで、簡単に複数の支持脚部１３、伝達支持レール部１４、複数の伝達保持部１５、ハンマー支持レール部１６および複数のハンマー保持部１７を一度に設置することができる。このため、組立て作業が極めて容易にできるので、より一層、生産性が良く、大幅な低コスト化を図ることができる。
【００９８】
この場合、アクション搭載部材１２は、複数の支持脚部１３、伝達支持レール部１４、複数の伝達保持部１５、ハンマー支持レール部１６、および複数のハンマー保持部１７を備えた構成であっても、上金型、下金型、および１つのスライドコアで構成された成型用金型によって１度に成型することができるので、これによっても、より一層、生産性が良く、大幅な低コスト化を図ることができる。
【００９９】
なお、上述した実施形態では、アクション搭載部材１２が、伝達支持レール部１４、複数の伝達保持部１５、ハンマー支持レール部１６、および複数のハンマー保持部１７を一体に形成した場合について述べたが、これに限らず、アクション搭載部材は、複数の支持脚部１３と、伝達支持レール部１４と、複数の伝達保持部１５と、を備えただけの構成であっても良い。このような構成であっても、上述した実施形態と同様、組立て作業性および生産性が良く、低コスト化を図ることができる。
【０１００】
また、これに限らず、アクション搭載部材は、複数の支持脚部１３と、ハンマー支持レール部１６と、複数のハンマー保持部１７と、を備えただけの構成であっても良い。このような構成であっても、上述した実施形態と同様、組立て作業性および生産性が良く、低コスト化を図ることができる。
【０１０１】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１０２】
（付記）
請求項１に記載の発明は、並列に配列された複数の鍵と、前記複数の鍵それぞれに対応して設けられ、当該複数の鍵それぞれの押鍵操作に応じて変位する複数の伝達部材と、前記複数の伝達部材それぞれに対応して設けられ、押鍵操作に対応する前記伝達部材の変位に応じて回転動作することにより、押鍵操作されている前記鍵に対してアクション荷重を付与する複数のハンマー部材と、前記複数の鍵の配列方向における複数個所に配置された複数の支持脚部と、前記鍵の配列方向に沿って前記複数の支持脚部に一体に形成されて当該複数の支持脚部を連結する伝達支持レール部と、前記伝達支持レール部上に一体に形成されて前記複数の伝達部材をそれぞれ回転自在に保持する複数の伝達保持部と、前記鍵の配列方向に沿って前記複数の支持脚部に一体に形成されて当該複数の支持脚部を連結するハンマー支持レール部と、前記ハンマー支持レール部上に一体に形成されて前記複数のハンマー部材をそれぞれ回転自在に保持する複数のハンマー保持部と、を有していることを特徴とする鍵盤装置である。
【０１０３】
請求項２に記載の発明は、請求項１に記載の鍵盤装置において、前記伝達支持レール部と前記ハンマー支持レール部とには、補強リブがそれぞれ一体に形成されていることを特徴とする鍵盤装置である。
【０１０４】
請求項３に記載の発明は、請求項１または請求項２に記載の鍵盤装置において、前記伝達部材は、前記伝達保持部に回転自在に取り付けられる伝達嵌合部を有し、この伝達嵌合部を前記伝達保持部に差し込むことにより、前記伝達嵌合部が前記伝達保持部に回転自在に取り付けられ、前記ハンマー部材は、前記ハンマー保持部に回転自在に取り付けられるハンマー嵌合部を有し、このハンマー嵌合部を前記ハンマー保持部に差し込むことにより、前記ハンマー嵌合部が前記ハンマー保持部に回転自在に取り付けられることを特徴とする鍵盤装置である。
【０１０５】
請求項４に記載の発明は、請求項１〜請求項３のいずれかに記載の鍵盤装置において、前記複数の支持脚部、前記伝達支持レール部、前記複数の伝達保持部、前記ハンマー支持レール部、および前記複数のハンマー保持部は、成型用金型によって成型されていることを特徴とする鍵盤装置である。
【０１０６】
請求項５に記載の発明は、並列に配列された複数の鍵と、前記複数の鍵それぞれに対応して設けられ、当該複数の鍵それぞれの押鍵操作に応じて変位する複数の伝達部材と、前記複数の伝達部材それぞれに対応して設けられ、押鍵操作に対応する前記伝達部材の変位に応じて回転動作することにより、押鍵操作されている前記鍵に対してアクション荷重を付与する複数のハンマー部材と、前記複数の鍵の配列方向における複数個所に配置された複数の支持脚部と、前記鍵の配列方向に沿って前記複数の支持脚部に一体に形成されて当該複数の支持脚部を連結するハンマー支持レール部と、を有していることを特徴とする鍵盤装置である。
【０１０７】
請求項６に記載の発明は、請求項５に記載の鍵盤装置において、前記ハンマー支持レール部上に一体に形成されて前記複数のハンマー部材をそれぞれ回転自在に保持する複数のハンマー保持部をさらに有することを特徴とする鍵盤装置である。
【０１０８】
請求項７に記載の発明は、請求項５または請求項６に記載の鍵盤装置において、前記ハンマー支持レール部には、補強リブが一体に形成されていることを特徴とする鍵盤装置である。
【０１０９】
請求項８に記載の発明は、請求項５〜請求項７のいずれかに記載の鍵盤装置において、前記ハンマー部材は、前記ハンマー保持部に回転自在に取り付けられるハンマー嵌合部を有し、このハンマー嵌合部を前記ハンマー保持部に差し込むことにより、前記ハンマー嵌合部が前記ハンマー保持部に回転自在に取り付けられることを特徴とする鍵盤装置である。
【０１１０】
請求項９に記載の発明は、請求項５〜請求項８のいずれかに記載の鍵盤装置において、前記複数の支持脚部、前記ハンマー支持レール部、および前記複数のハンマー保持部は、成型用金型によって成型されていることを特徴とする鍵盤装置である。
【０１１１】
請求項１０に記載の発明は、並列に配列された複数の鍵と、前記複数の鍵それぞれに対応して設けられ、当該複数の鍵それぞれの押鍵操作に応じて変位する複数の伝達部材と、前記複数の伝達部材それぞれに対応して設けられ、押鍵操作に対応する前記伝達部材の変位に応じて回転動作することにより、押鍵操作されている前記鍵に対してアクション荷重を付与する複数のハンマー部材と、前記複数の鍵の配列方向における複数個所に配置された複数の支持脚部と、前記鍵の配列方向に沿って前記複数の支持脚部に一体に形成されて当該複数の支持脚部を連結する伝達支持レール部と、を有していることを特徴とする鍵盤装置である。
【０１１２】
請求項１１に記載の発明は、請求項１０に記載の鍵盤装置において、前記伝達支持レール部上に一体に形成されて前記複数の伝達部材をそれぞれ回転自在に保持する複数の伝達保持部をさらに有することを特徴とする鍵盤装置である。
【０１１３】
請求項１２に記載の発明は、請求項１０または請求項１１に記載の鍵盤装置において、前記伝達支持レール部には、補強リブが一体に形成されていることを特徴とする鍵盤装置である。
【０１１４】
請求項１３に記載の発明は、請求項１０〜請求項１２のいずれかに記載の鍵盤装置において、前記伝達部材は、前記伝達保持部に回転自在に取り付けられる伝達嵌合部を有し、この伝達嵌合部を前記伝達保持部に差し込むことにより、前記伝達嵌合部が前記伝達保持部に回転自在に取り付けられることを特徴とする鍵盤装置である。
【０１１５】
請求項１４に記載の発明は、請求項１０〜請求項１３のいずれかに記載の鍵盤装置において、前記複数の支持脚部、前記伝達支持レール部、および前記複数の伝達保持部は、成型用金型によって成型されていることを特徴とする鍵盤装置である。
【０１１６】
請求項１５に記載の発明は、請求項１〜請求項１４のいずれかに記載の鍵盤装置と、前記鍵盤装置の操作に応じて楽音を生成する楽音生成部と、前記楽音生成部によって生成された楽音を出力する楽音出力部を備えることを特徴とする電子楽器である。
【符号の説明】
【０１１７】
１  鍵盤装置
２  鍵
５  ベース板
１０  伝達部材
１１  ハンマー部材
１２  アクション搭載部材
１３  支持脚部
１４  伝達支持レール部
１４ａ  搭載部
１４ｂ  補強リブ
１５  伝達保持部
１５ａ  ガイド壁
１５ｂ  伝達保持軸
１６  ハンマー支持レール部
１６ａ  本体部
１６ｂ  補強リブ
１７  ハンマー保持部
１７ａ  ガイド壁
１７ｂ  ハンマー保持軸
１８  伝達本体部
１９  伝達嵌合部
２４  ハンマー部
２５  ハンマーアーム
２６  ハンマー嵌合部
【図１】
2019086793.tif 000003
【図２】
2019086793.tif 000004
【図３】
2019086793.tif 000005
【図４】
2019086793.tif 000006
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
鍵の配列方向における複数個所に配置された複数の支持脚部と、
前記鍵の配列方向に沿って設けられており、押鍵操作に応じて変位する各伝達部材を支持するための伝達支持レール部と、
前記伝達支持レール部上に、前記各伝達部材がそれぞれ嵌合している各伝達保持軸を含む複数の伝達保持部と、
を有し、
前記複数の支持脚部と、前記伝達支持レール部と、前記複数の伝達保持部と、は一体に形成されており、前記伝達支持レール部における前記伝達保持軸に対応する位置には、前記伝達保持軸を成型するための型抜き孔が設けられていることを特徴とする鍵盤楽器。
【請求項２】
請求項１に記載の鍵盤楽器において、
前記鍵の配列方向に沿って、かつ、前記伝達支持レール部とは前記鍵の前後方向において重ならない位置に設けられており、押鍵操作された鍵に対してアクション荷重を付与する各ハンマー部材を支持するためのハンマー支持レール部を有し、
前記ハンマー支持レール部と、前記複数の支持脚部と、前記伝達支持レール部と、前記複数の伝達保持部と、は一体に形成されていることを特徴とする鍵盤楽器。
【請求項３】
鍵の配列方向における複数個所に配置された複数の支持脚部と、
前記複数の支持脚部と一体に形成されており、押鍵操作された鍵に対してアクション荷重を付与する各ハンマー部材を支持するためのハンマー支持レール部を有し、
前記ハンマー支持レール部における前記鍵の前後方向の後側に、前記各ハンマー部材がそれぞれ嵌合している各ハンマー保持軸と、前記各ハンマー保持軸の両側に設けられている一対のガイド壁と、を含む複数のハンマー保持部が、前記ハンマー支持レール部と一体に形成されていることを特徴とする鍵盤楽器。
【請求項４】
請求項１〜請求項３のいずれかに記載の鍵盤楽器と、
前記鍵盤楽器の操作に応じて楽音を生成する楽音生成部と、
前記楽音生成部によって生成された楽音を出力する楽音出力部を備えることを特徴とする電子楽器。
【手続補正２】
【補正対象書類名】明細書
【補正対象項目名】０００９
【補正方法】変更
【補正の内容】
【０００９】
この発明の一態様は、鍵の配列方向における複数個所に配置された複数の支持脚部と、前記鍵の配列方向に沿って設けられており、押鍵操作に応じて変位する各伝達部材を支持するための伝達支持レール部と、前記伝達支持レール部上に、前記各伝達部材がそれぞれ嵌合している各伝達保持軸を含む複数の伝達保持部と、を有し、前記複数の支持脚部と、前記伝達支持レール部と、前記複数の伝達保持部と、は一体に形成されており、前記伝達支持レール部における前記伝達保持軸に対応する位置には、前記伝達保持軸を成型するための型抜き孔が設けられていることを特徴とする鍵盤楽器である。